【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
等電点フォーカシングのためのデバイスであって、長さ軸を有し、かつ、電解質溶液を含有するために構成されるフォーカシング容器と、前記長さ軸に近接して取り付けられる少なくとも１つの電気分解ユニットとを含み、それぞれの前記電気分解ユニットが、イオン流を二極性メンブランを介して前記フォーカシング容器の中に注入して、その結果、前記長さ軸に沿った前記電解質溶液における複数の段差を有するｐＨ勾配を作るようにするために構成され、それぞれの前記段差が、実質的に均一なｐＨレベルを有し、前記ｐＨ勾配が、前記複数の段差のうちの２つ毎の連続した段差の間における少なくとも１つのｐＨ傾斜部によって定義される、デバイス。
【請求項２】
前記ｐＨ傾斜部は少なくとも０．１のｐＨである、請求項１に記載のデバイス。
【請求項３】
それぞれの前記段差が少なくとも３ｍｍの長さである、請求項１に記載のデバイス。
【請求項４】
前記少なくとも１つの電気分解ユニットは複数の電気分解ユニットを含み、それぞれの前記電気分解ユニットを別個に制御するためのコントローラーをさらに含む、請求項１に記載のデバイス。
【請求項５】
前記電解質溶液は複数の生体分子を含み、前記複数の生体分子が前記ｐＨ勾配に沿った前記少なくとも１つのｐＨ傾斜部にのみ濃縮する、請求項１に記載のデバイス。
【請求項６】
前記少なくとも１つの電気分解ユニットの１つが、複数のヒドロキシルイオンを注入するために構成され、かつ、前記少なくとも１つの電気分解ユニットの別の１つが、複数の水素イオンを注入するために構成される、請求項１に記載のデバイス。
【請求項７】
前記フォーカシング容器は複数の狭くなったセグメントを有し、それぞれの前記電気分解ユニットが、前記イオン流をそれぞれの前記狭いセグメントに注入するために構成される、請求項１に記載のデバイス。
【請求項８】
等電点フォーカシングのためのデバイスであって、電解質溶液を含有するために構成され、かつ、第１および第２の末端部ならびに長さ軸を有するフォーカシング容器であって、少なくとも１つのスリットを第１および第２の末端部までの途中に有するフォーカシング容器と、前記第１の末端部および前記第２の末端部にそれぞれ取り付けられ、かつ、第１の電流を、前記電解質溶液を介してそれらの間に通すために構成される陽極および陰極と、前記少なくとも１つのスリットに近接してそれぞれが取り付けられる少なくとも１つの二極性メンブランと、それぞれの少なくとも１つの二極性メンブランの前方にそれぞれが取り付けられ、かつ、第２の電流を前記少なくとも１つのそれぞれの二極性メンブランに付与し、その結果、前記少なくとも１つのスリットを介するイオン流を促進するようにするために構成される少なくとも１つの制御可能な電極とを含む、デバイス。
【請求項９】
前記第１および第２の電流を、前記陽極および陰極に対して、および前記少なくとも１つの制御可能な電極に対してそれぞれ供給する電流源をさらに含む、請求項８に記載のデバイス。
【請求項１０】
発生器電流源を経由して前記制御可能な電極に物理的に接続されるホイートストンブリッジをさらに含む、請求項９に記載のデバイス。
【請求項１１】
前記第１および第２の電流は高電圧の電流である、請求項８に記載のデバイス。
【請求項１２】
前記少なくとも１つの二極性メンブランは少なくとも１つの無気泡性のメンブランである、請求項８に記載のデバイス。
【請求項１３】
前記第１および第２の末端部にそれぞれ接続される第１および第２の受器をさらに含み、前記陽極および前記陰極が前記第１および第２の受器にそれぞれ少なくとも部分的に取り付けられる、請求項８に記載のデバイス。
【請求項１４】
前記フォーカシング容器を支持するための適所の前方において複数のソケットを有する支持構造物をさらに含み、それぞれの前記ソケットが、前記少なくとも１つの二極性メンブランの１つと、前記少なくとも１つの制御可能な電極の１つとを含有する、請求項８に記載のデバイス。
【請求項１５】
ｐＨレベルを前記少なくとも１つの二極性メンブランのそれぞれの近くで測定するために構成される少なくとも１つのｐＨプローブをさらに含む、請求項８に記載のデバイス。
【請求項１６】
前記少なくとも１つのスリットの幅が３ｍｍ未満である、請求項８に記載のデバイス。
【請求項１７】
前記少なくとも１つの制御可能な電極と、前記二極性メンブランとの間の距離が３ｍｍ未満である、請求項８に記載のデバイス。
【請求項１８】
等電点フォーカシングのための方法であって、長さ軸を有するフォーカシング容器を提供すること、複数の生体分子を有する電解質溶液を前記容器に加えること、第１電場を前記長さ軸に沿って前記電解質溶液において加えること、および、第２電場を少なくとも１つのそれぞれの二極性メンブランにおいて加え、イオン流を前記少なくとも１つの二極性メンブランを介して前記長さ軸に沿った少なくとも１つの地点に促進して、前記電解質溶液における複数の段差によって定義されるｐＨ勾配を確立し、その結果、前記複数の生体分子が前記少なくとも１つの地点の近くで少なくとも１つの濃縮において蓄積することを含み、それぞれの前記段差が、実質的に均一なｐＨレベルを有し、前記ｐＨ勾配が、前記複数の段差のうちの２つ毎の連続した段差の間における少なくとも１つのｐＨ傾斜部によって定義される、方法。
【請求項１９】
前記ｐＨ勾配が前記複数の段差の中の複数の傾斜部によって定義され、前記方法が、前記ｐＨ勾配を安定化するために緩衝剤の混合物を加えることをさらに含む、請求項１８に記載の方法。
【請求項２０】
前記複数の生体分子が前記少なくとも１つの濃縮にだけ蓄積する、請求項１８に記載の方法。
【請求項２１】
前記第２電場を加えることは、電流を、それぞれの前記少なくとも１つの地点で前記電解質溶液に近接してそれぞれが取り付けられる少なくとも１つの二極性メンブランにおいて付与することを含む、請求項１８に記載の方法。
【請求項２２】
前記複数の生体分子を前記少なくとも１つの濃縮に従って診断することをさらに含む、請求項１８に記載の方法。
【請求項２３】
前記少なくとも１つの濃縮の少なくとも１つを別々に集めることをさらに含む、請求項１８に記載の方法。
【請求項２４】
等電点フォーカシングのためのデバイスであって、生体分子の混合物を伴う電解質溶液により湿らされる多孔性ブロックをその長さ軸の途中で、取り外し可能に保持するために構成されるフォーカシング容器と、第１の電流を、前記多孔性ブロックにおいて前記電解質溶液を介して通すために構成される複数の電極と、イオン流を前記フォーカシング容器の中に注入して、その結果、ｐＨ勾配を前記多孔性ブロックにおける前記電解質溶液において変化させるようにするためにそれぞれが構成される、前記長さ軸に近接して取り付けられる少なくとも１つの電気分解ユニットとを含み、前記生体分子の混合物が前記ｐＨ勾配に従って前記多孔性ブロックにおいて配置される、デバイス。
【請求項２５】
前記フォーカシング容器は、前記多孔性ブロックを前記フォーカシング容器に設置すること、および、前記多孔性ブロックを前記フォーカシング容器から取り出すことの少なくとも一方のための開口部を有する、請求項２４に記載のデバイス。
【請求項２６】
等電点フォーカシングのための着脱可能な溶液カートリッジであって、等電点フォーカシングシステムのフォーカシング流路にはまるようなサイズおよび形状を有し、かつ、複数の生体分子を有する電解質溶液により湿潤化されて、その結果、前記複数の生体分子の移動を前記電解質溶液において形成されるｐＨ勾配に従って可能にするようにするために構成される多孔性ブロックを含む、溶液カートリッジ。
【請求項２７】
前記多孔性ブロックは、前記複数の生体分子の濃縮のうちのただ１つの濃縮をそれぞれが含む複数のセグメントを作製するために切り取られることができる、請求項２６に記載の溶液カートリッジ。